Podtech/llm-jp-corpus-v4-ja_patent huggingface dataset:
【誤訳訂正書】
【提出日】令和3年7月13日(2021.7.13)
【誤訳訂正１】
【訂正対象書類名】特許請求の範囲
【訂正対象項目名】全文
【訂正方法】変更
【訂正の内容】
【特許請求の範囲】
【請求項１】
表面（Ｓ）に沿って移動可能な患者取り扱い機器の車輪付きシャーシのための補助推進システム（１０）であって、前記補助推進システムは、
マウント（３０）と、
前記マウント（３０）を介して前記シャーシ（６０）に連結可能であり、かつ、前記表面（Ｓ）に沿って前記シャーシに補助推進力を提供するように配列される駆動部（２０）であって、前記マウント（３０）は、前記表面（Ｓ）に対して実質的に垂直な方向に、前記駆動部の少なくとも駆動部分（２１）を前記シャーシ（６０）から実質的に切り離し、前記補助推進力を提供する間に、前記駆動部の少なくとも前記駆動部分（２１）を前記表面（Ｓ）上に方向付けるための弾性ばね力を印加するように配列される、駆動部（２０）と、
前記駆動部（２０）の動作を制御するように配列されるコントローラ（４０）と、
センサ（５０）であって、
ｉ）前記駆動部の少なくとも一部の加速度を監視することと、
ｉｉ）前記加速度に関するデータを前記コントローラに伝えることと
を行うように配列されるセンサ（５０）と
を備え、前記コントローラは、前記シャーシの操作者から制御入力を受信するように配列され、前記コントローラは、前記制御入力に依存して動力補助推進力を提供するように配列され、前記コントローラは、前記動力補助推進力の方向が前記操作者から受信された後続の制御入力を用いて印加される力の方向と反対である場合に、前記駆動部（２０）の動力の低減をもたらすか前記駆動部分を切り離すように配列され、
前記コントローラは、前記制御入力からの前記駆動部（２０）の速度および／または加速度への変更を決定するように配列され、前記制御入力を前記センサから受信された前記データと比較することによって、前記変更の大きさを決定するように配列される、補助推進システム。
【請求項２】
前記マウント（３０）を介して前記シャーシ（６０）に連結可能である一対の駆動部を備え、前記一対の駆動部（２０）のそれぞれの前記駆動部分（２１）は、前記表面（Ｓ）に実質的に平行な平面内で互いに離間し、かつ前記表面（Ｓ）に対して実質的に垂直な方向に前記シャーシ（６０）から独立して動作可能でありかつ独立して切り離される、請求項１に記載の補助推進システム。
【請求項３】
前記駆動部分は、前記表面（Ｓ）に向かうかまたは前記表面（Ｓ）から離れる方向を除く全ての方向に前記駆動部分（２１）から前記マウントに力を伝達するために、前記駆動部分が配向を固定されて、前記表面に向かうかまたは前記表面から離れる方に前記シャーシから独立して移動可能であるように、前記マウント（３０）に実質的に固定されて接続され、それにより、前記切り離しは、実質的に前記表面（Ｓ）に向かうかまたは前記表面（Ｓ）から離れる方向の力を実質的に吸収するように前記駆動部分（２１）を前記弾性ばね力下で移動させるように構成される、請求項１または請求項２に記載の補助推進システム。
【請求項４】
表面に沿ってペイロードを運搬するための患者取り扱い機器のシャーシであって、
前記表面（Ｓ）上で前記シャーシを支持するための、前記シャーシ（６０）の周りに配置される複数の車輪（６２）と、
請求項１〜３のいずれか一項に記載の補助推進システムと
を備えるシャーシ。
【請求項５】
前記マウント（３０）は、弾性ばね連結部（４）を有し、前記駆動部の少なくとも前記駆動部分（２１）は、固定された配向を有し、前記シャーシ（６０）および前記複数の車輪（６２）とは独立して前記表面に向かう方向に移動可能であり、前記弾性ばね連結部（４）は、前記補助推進力を提供する間に、前記駆動部の少なくとも前記駆動部分（２１）を前記表面（Ｓ）上に方向付けるように配列される、請求項４に記載のシャーシ。
【請求項６】
請求項４または請求項５に記載のシャーシを組み込む患者取り扱い機器であって、車輪付きベッド、トロリー、可動式スリングリフト、ホイスト、可動性フレーム、起立補助デバイス、受動的患者リフタ、能動的患者リフタ、または衛生椅子のうちの１つから選択される患者取り扱い機器。
【誤訳訂正２】
【訂正対象書類名】明細書
【訂正対象項目名】００７６
【訂正方法】変更
【訂正の内容】
【００７６】
患者取り扱い機器を方向付けるために操作者により印加された力は、車輪２０、２０’の一方または両方の回転を開始させる。モータの回転速度変化は、制御システムにより感知され、これが車輪２０、２０’の一方または両方の駆動を制御し、補助推進力を提供する。好ましくは、制御システムは、例えば、参照によりその全内容が本明細書に組み込まれる第ＷＯ２０１０／１２７９８５Ａ１号に記載のように、操作者により印加される力に依存して動力補助推進力を提供するように配列される。固定配向車輪または非全方向車輪の場合、制御システムは、補助推進の方向が操作者により印加される力の方向と競合する場合に、１つの駆動部の動力の低減、駆動部の対の反対方向への駆動（そのスポットでの転回をもたらすため）、または、表面からの駆動部の車輪の切り離し等の他の駆動配列をもたらすように配列されてもよい。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
内容物を収容する変形可能な収容体に装着され、前記収容体に作用する押圧力によって内容物が注出される際、内容物の注出を許容し、外気の流入を阻止するエアレスキャップであって、
前記エアレスキャップは、内容物が注出される注出口を具備した本体と、前記本体の内部に取り付けられ、前記収容体の内部空間から注出口に至る流路が設けられた中栓と、略平坦状で弾性変形可能であり、前記中栓を本体に取り付けた際に前記本体と中栓との間に介在されて固定状態となる弁体と、を有し、
前記中栓は、前記本体に取り付けられた状態で、前記弁体の中央領域を弾性変形させて密着状態を維持する傾斜面を備えた圧接部を有しており、
前記弁体には、前記傾斜面に対する密着状態で傾斜面の中央領域を露出させる開口が形成されており、
前記中栓と弁体は、前記収容体に押圧力が作用した際、前記傾斜面から弁体を離間させて前記流路を開放すると共に、前記収容体に作用する押圧力が解除された際、前記弁体が傾斜面に密着して流路を閉塞する注出弁を構成している、ことを特徴とするエアレスキャップ。
【請求項２】
前記圧接部は、前記注出口に向けて膨出することで前記傾斜面を形成すると共に、前記中栓の中央部に一体的に保持されて、その周囲に前記流路が形成されている、ことを特徴とする請求項１に記載のエアレスキャップ。
【請求項３】
前記弁体には、前記傾斜面に対する密着状態で傾斜面を露出させる複数の開口が形成されている、ことを特徴とする請求項１又は２に記載のエアレスキャップ。
【請求項４】
前記弁体は、前記流路を塞ぐ領域に、内容物が収容された前記収容体に押圧力が作用した際には、前記注出口の方向に膨出すると共に、前記収容体に作用する押圧力が解除された際には、前記収容体側に反転して前記流路に入り込むことが可能な反転部を備えることを特徴とする請求項１から３のいずれか１項に記載のエアレスキャップ。
【請求項５】
前記弁体の反転部は、弁体の他の部位に比べて肉厚が薄い薄肉領域を備えることを特徴とする請求項４に記載のエアレスキャップ。
【請求項６】
前記中栓の傾斜面は、前記流路を塞ぐ領域で前記弁体の反転部が反転して流路に入り込んだ際の弁体の形状に沿うように形成されていることを特徴とする請求項４又は５に記載のエアレスキャップ。
【請求項７】
前記弁体と中栓は、前記弁体と中栓を一体化する嵌合構造を備えており、弁体と中栓を一体化した状態で前記本体に取り付け可能である、ことを特徴とする請求項１から６のいずれか１項に記載のエアレスキャップ。
【請求項８】
前記弁体は、エラストマー、又は、弾性プラスチック材によって一体成形されていることを特徴とする請求項１から７のいずれか１項に記載のエアレスキャップ。
【請求項９】
請求項１から請求項８のいずれか１項に記載されたエアレスキャップが装着可能な容器であり、
前記内容物を収容する収容体を構成する内側体と、前記内側体を囲繞するように成形された外側体と、前記内側体と外側体との間に空気の流入を許容する外気流入路と、を有し、
前記エアレスキャップは、前記外側体に形成された口部に固定される、ことを特徴とする容器。
【請求項１０】
請求項１から請求項８のいずれか１項に記載されたエアレスキャップが装着可能な容器であり、
前記エアレスキャップの本体は、断面略楕円形状の溶着部を備えた溶着体に一体形成された口部に固定され、
前記溶着部に、周囲が溶着されたプラスチック製のフィルムシートが溶着されている、ことを特徴とする容器。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
第１部材および第２部材の間を開口部とする遊技球が入球可能な入球口と、
前記第１部材および前記第２部材を回動させることにより、遊技球が入球可能な開放状態と、その開放状態よりも遊技球の入球が困難となる閉鎖状態とに、前記入球口を可変させる可変制御手段と、
前記入球口に遊技球が入球したことに基づいて、特典を付与することが可能な特典付与手段と、
前記第１部材および前記第２部材の回動パターンとして、第１回動パターンと、その第１回動パターンとは異なる第２回動パターンとを設定することが可能な設定手段と、を有し、
前記閉鎖状態において前記第１部材および前記第２部材を回動させる条件が成立したタイミングから、前記第１部材および前記第２部材の回動が停止して前記入球口が前記開放状態に可変されるまでの期間は、前記第１回動パターンでは第１期間に設定され、前記第２回動パターンでは前記第１期間よりも長い第２期間に設定されており、
前記設定手段により前記第１回動パターンが設定された場合には、前記第２回動パターンが設定された場合に比べて、前記開放状態において前記入球口への遊技球の入球が容易となることを特徴とする遊技機。
【請求項２】
音声を出力可能な音声出力手段を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、遊技球が入球可能な入球口を備えており、通常時は、遊技球が入球口に入球することを規制されて、入球口に入球可能となる条件が成立した場合に、入球口を遊技球が入球可能な状態にする遊技機が提案されている。
【手続補正３】
【補正対象書類名】明細書
【補正対象項目名】０００４
【補正方法】変更
【補正の内容】
【０００４】
しかしながら、更なる遊技性の向上が求められている。
【手続補正４】
【補正対象書類名】明細書
【補正対象項目名】０００５
【補正方法】変更
【補正の内容】
【０００５】
本発明は、上記例示した問題点を解決するためになされたものであり、遊技者が享受する遊技性を向上させることができる遊技機を提供することを目的とする。
【手続補正５】
【補正対象書類名】明細書
【補正対象項目名】０００６
【補正方法】変更
【補正の内容】
【０００６】
この目的を達成するために本発明の遊技機は、第１部材および第２部材の間を開口部とする遊技球が入球可能な入球口と、前記第１部材および前記第２部材を回動させることにより、遊技球が入球可能な開放状態と、その開放状態よりも遊技球の入球が困難となる閉鎖状態とに、前記入球口を可変させる可変制御手段と、前記入球口に遊技球が入球したことに基づいて、特典を付与することが可能な特典付与手段と、前記第１部材および前記第２部材の回動パターンとして、第１回動パターンと、その第１回動パターンとは異なる第２回動パターンとを設定することが可能な設定手段と、を有し、前記閉鎖状態において前記第１部材および前記第２部材を回動させる条件が成立したタイミングから、前記第１部材および前記第２部材の回動が停止して前記入球口が前記開放状態に可変されるまでの期間は、前記第１回動パターンでは第１期間に設定され、前記第２回動パターンでは前記第１期間よりも長い第２期間に設定されており、前記設定手段により前記第１回動パターンが設定された場合には、前記第２回動パターンが設定された場合に比べて、前記開放状態において前記入球口への遊技球の入球が容易となるものである。
【手続補正６】
【補正対象書類名】明細書
【補正対象項目名】０００９
【補正方法】変更
【補正の内容】
【０００９】
本発明の遊技機によれば、第１部材および第２部材の間を開口部とする遊技球が入球可能な入球口と、前記第１部材および前記第２部材を回動させることにより、遊技球が入球可能な開放状態と、その開放状態よりも遊技球の入球が困難となる閉鎖状態とに、前記入球口を可変させる可変制御手段と、前記入球口に遊技球が入球したことに基づいて、特典を付与することが可能な特典付与手段と、前記第１部材および前記第２部材の回動パターンとして、第１回動パターンと、その第１回動パターンとは異なる第２回動パターンとを設定することが可能な設定手段と、を有し、前記閉鎖状態において前記第１部材および前記第２部材を回動させる条件が成立したタイミングから、前記第１部材および前記第２部材の回動が停止して前記入球口が前記開放状態に可変されるまでの期間は、前記第１回動パターンでは第１期間に設定され、前記第２回動パターンでは前記第１期間よりも長い第２期間に設定されており、前記設定手段により前記第１回動パターンが設定された場合には、前記第２回動パターンが設定された場合に比べて、前記開放状態において前記入球口への遊技球の入球が容易となるものである。
【手続補正７】
【補正対象書類名】明細書
【補正対象項目名】００１０
【補正方法】変更
【補正の内容】
【００１０】
よって、遊技者が享受する遊技性を向上させることができるという効果がある。
【手続補正８】
【補正対象書類名】明細書
【補正対象項目名】０８３３
【補正方法】変更
【補正の内容】
【０８３３】
１０                                    パチンコ機（遊技機）
６５ａ 特定入賞口（入球口）
１１１ 払出制御装置（特典付与手段）
１１３ 音声ランプ制御装置（音声出力手段の一部）
２２６ 音声出力装置（音声出力手段の一部）
Ｓ３２５、Ｓ３２７、Ｓ３３１、Ｓ３３３ 設定手段
Ｓ１００５ 電動役物作動処理（可変制御手段）
【手続補正書】
【提出日】令和3年9月15日(2021.9.15)
【手続補正１】
【補正対象書類名】特許請求の範囲
【補正対象項目名】全文
【補正方法】変更
【補正の内容】
【特許請求の範囲】
【請求項１】
制御手段を備える情報処理装置に、ゲーム方法を実行させるためのコンピュータプログラムであって、
前記情報処理装置は、移動手段を備える本体部に装着されて、ゲーム盤上を移動することが可能であって、
前記ゲーム方法は、前記情報処理装置が前記本体部に装着され、かつ、前記ゲーム盤上に位置している場合に、
前記制御手段が、
前記ゲーム盤の情報に基づいて、前記移動手段の制御を含む実行動作を決定することと、
決定された前記実行動作に基づき前記移動手段を制御することと
を含む、コンピュータプログラム。
【請求項２】
前記情報処理装置は、通信手段を更に備え、
前記ゲーム方法は、前記制御手段が、
前記通信手段に、他の情報処理装置の前記ゲーム盤上における位置の情報を取得させることと、
前記ゲーム盤上における他の情報処理装置の位置に更に基づいて、前記実行動作を決定することと、
前記通信手段に、前記実行動作の結果を他の情報処理装置に通知させることと
を含む、請求項１に記載のコンピュータプログラム。
【請求項３】
情報処理装置は、表示手段を更に備え、
前記ゲーム方法は、前記制御手段が、
前記通信手段に、前記他の情報処理装置における前記実行動作の結果を前記他の情報処理装置から受信させることと、
前記表示手段に、受信した前記他の情報処理装置における前記実行動作の結果に基づく画面を表示させることと
を更に含む、請求項２に記載のコンピュータプログラム。
【請求項４】
前記情報処理装置は、マスター、または、スレーブのいずれかとして動作し、
前記ゲーム方法は、前記制御手段が、
前記情報処理装置が前記マスターとして動作する場合、前記通信手段に前記スレーブとして動作する前記他の情報処理装置の前記ゲーム盤上における位置の情報を受信させると共に、前記ゲーム盤上に位置するすべての情報処理装置の位置の情報を、前記スレーブとして動作する前記他の情報処理装置に送信させることと、
前記情報処理装置が前記スレーブとして動作する場合、前記通信手段に前記情報処理装置の前記ゲーム盤上における位置の情報を前記マスターとして動作する情報処理装置に送信させると共に、該マスターとして動作する情報処理装置から、前記ゲーム盤上に位置するすべての情報処理装置の位置の情報を受信させることと
を更に含む、請求項２または３に記載のコンピュータプログラム。
【請求項５】
前記ゲーム方法は、前記制御手段が、
実行すべき動作と、該実行すべき動作を実行するための条件とを含む動作情報に基づいて前記実行動作を決定することと、
前記条件が満たされるか否かを、前記情報処理装置の位置、前記他の情報処理装置の位置、及び、前記ゲーム盤の構成情報に基づいて判定することと、
を更に含む、請求項２から４のいずれか1項に記載のコンピュータプログラム。
【請求項６】
前記動作情報は、前記情報処理装置のユーザによる入力に基づき生成され、
前記ユーザによる入力には、複数の選択肢からの選択入力が含まれる、
請求項５に記載のコンピュータプログラム。
【請求項７】
前記情報処理装置は、前記本体部に装着されて前記ゲーム盤上に設置可能であり、かつ、前記情報処理装置が前記移動手段を制御することにより前記ゲーム盤上を移動可能に構成されている、請求項１から６のいずれか１項に記載のコンピュータプログラム。
【請求項８】
前記情報処理装置は、撮影手段を更に備え
前記制御手段が、
前記撮影手段に、前記情報処理装置が位置する前記ゲーム盤の情報を取得させることと、
取得された前記ゲーム盤の情報に基づいて、前記情報処理装置の前記ゲーム盤上における位置を特定することと、
前記情報処理装置の前記ゲーム盤上における位置に更に基づいて、前記実行動作を決定することと、
を更に含む、請求項１から７のいずれか１項に記載のコンピュータプログラム。
【請求項９】
前記情報処理装置は、水平面に対し０度から９０度の傾斜角度により前記本体部に装着される、請求項１から８のいずれか1項に記載のコンピュータプログラム。
【請求項１０】
制御手段と、請求項１から９のいずれか１項に記載のコンピュータプログラムを記憶した記憶手段とを備え、前記コンピュータプログラムの実行によりゲーム方法を実行する情報処理装置と、
前記情報処理装置が装着され、前記情報処理装置により制御される移動手段を有する本体部と
を備える、移動装置。
【請求項１１】
制御手段と、ゲーム方法を実行させるためのコンピュータプログラムを記憶した記憶手段とを備え、前記コンピュータプログラムの実行によりゲーム方法を実行する情報処理装置が装着され、前記情報処理装置により制御される移動手段を有する本体部を備える、移動装置。
【請求項１２】
請求項１０又は１１に記載の移動装置の複数が無線通信することにより構成される、移動装置システム。
【手続補正２】
【補正対象書類名】明細書
【補正対象項目名】０００６
【補正方法】変更
【補正の内容】
【０００６】
本発明は、主に制御手段を備える情報処理装置に、ゲーム方法を実行させるためのコンピュータプログラムであって、
前記情報処理装置は、移動手段を備える本体部に装着されて、ゲーム盤上を移動することが可能であって、
前記ゲーム方法は、前記情報処理装置が前記本体部に装着され、かつ、前記ゲーム盤上に位置している場合に、
前記制御手段が、
前記ゲーム盤の情報に基づいて、前記移動手段の制御を含む実行動作を決定することと、
決定された前記実行動作に基づき前記移動手段を制御することと、を含む。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサ、メモリ、表示部および操作部を備えるユーザ端末としてのコンピュータにより実行されるものであり、
前記ユーザ端末は、当該ユーザ端末が存在する空間とは物理的に離れた空間に存在する外部装置であって当該ユーザ端末のユーザとは異なる者でありゲームに登場する少なくとも１つのキャラクタを前記ユーザが視認できない空間で演じる演者からの入力に応じて当該キャラクタを制御する外部装置とネットワーク経由で通信可能に構成されており、
前記ゲームプログラムは、前記プロセッサに、
前記操作部を介して前記コンピュータに入力されたユーザの入力操作に応じてゲームを進行させるステップと、
前記外部装置に、前記ゲームの進捗を示す情報として、前記進行中のゲームの進捗にかかわる進捗画面を表示可能にするための進捗情報を送信するステップと、
前記送信される進捗情報に基づき前記進捗画面を前記演者が視認可能となるようにリアルタイムに表示する前記外部装置により取得される音声データであって、前記演者から前記リアルタイムに表示される進捗画面に対して任意のタイミングで発せられる音声であってユーザが直接聞けない音声の音声データを、該外部装置から受信するステップと、
前記音声データを受信したことをトリガにして、前記ゲームの進行中に登場する前記キャラクタに、少なくとも該音声データの内容を発話させることにより、該キャラクタを動作させるステップとを実行させる、ゲームプログラム。
【請求項２】
ゲームに登場するキャラクタを制御するためのキャラクタ制御プログラムであって、
前記キャラクタ制御プログラムは、プロセッサ、メモリおよび表示部を備え、前記ゲームに登場する少なくとも１つのキャラクタを演じる演者からの入力に応じて当該キャラクタを制御するコンピュータであって、前記演者とは異なるユーザのユーザ端末が存在する空間とは物理的に離れており前記ユーザが前記演者を視認できない空間に存在し前記ユーザ端末とネットワーク経由で通信可能なコンピュータにより実行されるものであり、
前記キャラクタ制御プログラムは、前記プロセッサに、
前記ゲームを進行させるユーザ端末から送信される、前記進行中のゲームの進捗にかかわる進捗画面を表示可能にするための進捗情報に基づいて、前記進行中のゲームの進捗画面を前記演者が視認可能となるように前記コンピュータの表示部においてリアルタイムに表示するステップと、
前記演者から前記リアルタイムに表示される進捗画面に対して任意のタイミングで発せられる音声であって前記ユーザが直接聞けない音声を受け付けるステップと、
受け付けられた音声の音声データを前記ユーザ端末に送信するステップとを実行させる、キャラクタ制御プログラム。
【請求項３】
前記ゲームは、複数のユーザが参加可能なマルチプレイゲームであり、
前記マルチプレイゲームに参加している複数のユーザ各々のユーザ端末からの進捗情報に基づいて表示可能となる進捗画面は、当該複数のユーザ毎の個別の進捗を含む、請求項１に記載のゲームプログラム。
【請求項４】
前記マルチプレイゲームはレースゲームであり、
前記進捗画面は、前記複数のユーザ毎の現在位置、順位、ラップ、および、トップとの差の少なくともいずれかを含む、請求項３に記載のゲームプログラム。
【請求項５】
前記音声データは、ユーザ端末にて受信されたことをトリガにして、当該ユーザ端末において進行中のゲームのゲーム画面に重畳させて前記キャラクタを表示させるデータである、請求項１、請求項３、および、請求項４のいずれかに記載のゲームプログラム。
【請求項６】
コンピュータがゲームプログラムを実行する方法であって、
前記コンピュータは、プロセッサ、メモリおよび操作部を備え、
前記プロセッサが請求項１に記載の各ステップを実行する方法。
【請求項７】
情報処理装置であって、
前記情報処理装置は、
請求項１に記載のゲームプログラムを記憶する記憶部と、
操作部と、
該ゲームプログラムを実行することにより、情報処理装置の動作を制御する制御部とを備えている、情報処理装置。
【請求項８】
コンピュータがキャラクタ制御プログラムを実行する方法であって、
前記コンピュータは、プロセッサ、メモリおよび表示部を備え、
前記プロセッサが請求項２に記載の各ステップを実行する方法。
【請求項９】
情報処理装置であって、
前記情報処理装置は、
請求項２に記載のキャラクタ制御プログラムを記憶する記憶部と、
表示部と、
該キャラクタ制御プログラムを実行することにより、情報処理装置の動作を制御する制御部とを備えている、情報処理装置。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
回動可能に連結された第１挟持部材及び第２挟持部材と、
前記第１挟持部材と前記第２挟持部材との間で第１挟持部材及び第２挟持部材の連結部側から第１方向に延びる挟持間隙を狭めるように、前記第１挟持部材と前記第２挟持部材とを付勢する付勢部材と、
を備え、
前記第２挟持部材は、設置部を有し、
前記設置部は、突出部を有し、
前記突出部は、前記設置部が置かれた設置面に接する一つ以上の接点部を有し、
頭部、腕部、および脚部を有する人形形状を呈しており、
前記頭部および前記腕部は前記第１挟持部材に設けられ、
前記脚部は前記第２挟持部材に設けられ、
前記挟持間隙は前記腕部と前記脚部の間に位置するクリップ。
【請求項２】
請求項１記載のクリップであって、
前記設置部は、前記設置面に接する三つの接点部を有し、
前記突出部は、前記三つの接点部のうち二つの接点部を有し、
前記挟持間隙が閉じられている状態で、前記三つの接点部によって形成される三角形の法線方向に見た場合に、前記第１挟持部材の重心は前記三角形の内側に位置するクリップ。
【手続補正２】
【補正対象書類名】明細書
【補正対象項目名】０００６
【補正方法】変更
【補正の内容】
【０００６】
本発明に係るクリップは、回動可能に連結された第１挟持部材及び第２挟持部材と、前記第１挟持部材と前記第２挟持部材との間で第１挟持部材及び第２挟持部材の連結部から第１方向に延びる挟持間隙を狭めるように、前記第１挟持部材と前記第２挟持部材とを付勢する付勢部材と、を備え、前記第２挟持部材は、設置部を有し、前記設置部は、前記第１挟持部材の先端部よりも前記第１方向に突出して配置される突出部を有し、前記突出部は、前記設置部が置かれた設置面に接する一つ以上の接点部と、前記第１挟持部材の先端部と前記第１方向に対向して配置される凸部と、を有することを特徴とする。また、本発明に係るクリップは、回動可能に連結された第１挟持部材及び第２挟持部材と、前記第１挟持部材と前記第２挟持部材との間で第１挟持部材及び第２挟持部材の連結部側から第１方向に延びる挟持間隙を狭めるように、前記第１挟持部材と前記第２挟持部材とを付勢する付勢部材と、を備え、前記第２挟持部材は、設置部を有し、前記設置部は、突出部を有し、前記突出部は、前記設置部が置かれた設置面に接する一つ以上の接点部を有し、頭部、腕部、および脚部を有する人形形状を呈しており、前記頭部および前記腕部は前記第１挟持部材に設けられ、前記脚部は前記第２挟持部材に設けられ、前記挟持間隙は前記腕部と前記脚部の間に位置することを特徴とする。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
荷を保管可能な保管列が複数並置された保管棚部と、
前記複数の保管列の一端でそれぞれ連通し、前記保管列の並置方向へ延在する第１走行路と、
前記複数の保管列の他端でそれぞれ連通し、前記保管列の並置方向へ延在する第２走行路と、
前記第１走行路上を移動可能な第１親台車と、
前記第２走行路上を移動可能な第２親台車と、
荷を搭載可能であり、前記複数の保管列内を前記保管列の延びる方向へ移動可能であり、前記第１親台車および前記第２親台車の両方へ乗降可能な子台車と、を有することを特徴とする自動倉庫システム。
【請求項２】
更に、前記第１親台車、前記第２親台車、および前記子台車の位置に基づいて、搬送元となる荷を搬送先へ移送するように、前記第１親台車、前記第２親台車、および前記子台車の移動を制御する制御部を有する、請求項１に記載の自動倉庫システム。
【請求項３】
前記制御部は、移送対象となる第１の荷と第２の荷を移送する前に、前記第１親台車を経由して移送する第１経路、および前記第２親台車を経由して移送する第２経路の移動時間を算出し、前記第１経路と前記第２経路のうち前記移動時間が短い方の経路を選択して移送するように前記移動を制御する、請求項２に記載の自動倉庫システム。
【請求項４】
前記制御部は、移送対象となる第１の荷と第２の荷を移送する前に、
前記第１の荷と前記第２の荷との移動順序を入れ替えない第１の手順、および前記第１の荷と前記第２の荷との移動順序を入れ替える第２の手順における前記子台車の合計移動時間を算出し、
前記第１の手順と前記第２の手順のうち前記合計移動時間が短い方の手順を選択して移送するように前記移動を制御する、請求項２に記載の自動倉庫システム。
【請求項５】
前記制御部は、移送対象となる第１の荷と第２の荷を移送する前に、
前記第１親台車を経由する第１の移送経路、および前記第２親台車を経由する第２の移送経路における前記子台車の前記保管列の延びる方向への合計移動時間を算出し、
前記第１の移送経路と前記第２の移送経路のうち前記合計移動時間が短い方の移送経路を選択して移送するように前記移動を制御する、請求項２に記載の自動倉庫システム。
【請求項６】
前記子台車はバッテリを備え、
前記子台車が、前記第１親台車又は前記第２親台車へ乗り込んだ状態において、前記バッテリは充電可能である、請求項５に記載の自動倉庫システム。
【請求項７】
前記保管棚部は上下方向に複数段重ねて設けられ、
前記第１走行路、前記第２走行路、前記第１親台車、および前記第２親台車は前記複数段それぞれに設けられ、
前記第１走行路に接続する第１昇降機構と、前記第２走行路に接続する第２昇降機構と、を有し、
前記子台車は、前記第１昇降機構および前記第２昇降機構を経由する立体ルートにより他の段へ移動可能であり、
前記制御部は、前記第１昇降機構および前記第２昇降機構を経由しない平面ルート、および前記立体ルートの移動時間を算出し、前記平面ルートと前記立体ルートのうち前記移動時間が短い方のルートを選択して移送するように前記移動を制御する、請求項２に記載の自動倉庫システム。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
長尺状の可撓性連続気泡構造発泡体と、
前記可撓性連続気泡構造発泡体の側面の少なくとも一部に、軟質熱可塑性樹脂又は熱硬化性エラストマーを押出被覆した押出被覆層と、
前記可撓性連続気泡構造発泡体の内部及び側面の少なくとも一方に、前記可撓性連続気泡構造発泡体の長手方向の一端から他端に向けて延在して設けられ、前記可撓性連続気泡構造発泡体の長手方向の伸びを防止する伸び防止部材であって、線材、又はシート材である伸び防止部材と、
を有する発泡シール材。
【請求項２】
前記押出被覆層は、前記可撓性連続気泡構造発泡体における被シール材との非接触面である、液体・気体接触面の少なくとも１面の全範囲に押出被覆されている請求項１に記載の発泡シール材。
【請求項３】
前記可撓性連続気泡構造発泡体が、撥水性の発泡体である請求項１又は請求項２に記載の発泡シール材。
【請求項４】
前記可撓性連続気泡構造発泡体が、ポリウレタン発泡体である請求項１〜請求項３のいずれか１項に記載の発泡シール材。
【請求項５】
前記軟質熱可塑性樹脂がＡ硬度０〜８５の熱可塑性エラストマーであり、前記熱硬化性エラストマーがＡ硬度０〜８５の熱硬化性エラストマーである請求項１〜請求項４のいずれか１項に記載の発泡シール材。
【請求項６】
前記熱可塑性エラストマーが、塩化ビニル系熱可塑性エラストマー、オレフィン系熱可塑性エラストマー、スチレン系熱可塑性エラストマー、ウレタン系熱可塑性エラストマー、及びアクリル系熱可塑系エラストマーから選択される少なくとも一種である請求項５に記載の発泡シール材。
【請求項７】
前記熱硬化性エラストマーが、室温硬化型の熱硬化性エラストマーである請求項１〜請求項６のいずれか１項に記載の発泡シール材。
【請求項８】
可撓性連続気泡構造発泡体の側面の少なくとも一部に、軟質熱可塑性樹脂又は熱硬化性エラストマーを押出被覆して押出被覆層を形成する押出被覆工程を有する請求項１〜請求項７のいずれか１項に記載の発泡シール材の製造方法。
【請求項９】
前記押出被覆工程において、前記可撓性連続気泡構造発泡体における被シール材との非接触面である、液体・気体接触面体接触面の少なくとも１面の全範囲に、前記押出被覆層を押出被覆する請求項８項に記載の発泡シール材の製造方法。
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
タイヤ摩耗状態を検出するタイヤ摩耗検知装置であって、
車両に備えられるタイヤ（３）に配置され、前記タイヤの振動の大きさに応じた検出信号を出力する振動検出部（１１）と、前記車両の速度である車速を推定する車速推定部（１２）と、前記検出信号の波形に現れる前記タイヤの摩耗状態を示す摩耗データを生成する信号処理部（１３）と、前記摩耗データを送信する第１データ通信部（１４）と、を備えるタイヤ側装置（１）と、
車体側に備えられ、前記摩耗データを受信する第２データ通信部（２１ａ）と、前記摩耗データに基づいてタイヤ摩耗状態を判定する摩耗判定部（２１ｂａ）を含む制御部（２１ｂ）と、を備える車体側システム（２）と、を有し、
前記信号処理部は、路面状態がウェット路面であるか該ウェット路面以外であるかを検知する状態検知部（１３ｂ）と、前記タイヤのうちの前記タイヤ側装置の配置箇所と対応する部分を装置配置箇所として、前記ウェット路面が検知された際に、前記検出信号が示す前記タイヤの振動波形から、前記装置配置箇所が路面に接地した瞬間となる踏み込み時の振動レベルのピークであるピークレベル値を取得するレベル取得部（１３ｇ）と前記装置配置箇所が路面から離れた後となる蹴り出し後領域の振動レベルのレベル値を演算するレベル演算部（１３ｅ）との少なくとも一方を備え、前記踏み込み時の前記ピークレベル値と前記蹴り出し後領域の前記レベル値の少なくとも一方を示すデータを前記摩耗データとして生成するタイヤ摩耗検知装置。
【請求項２】
前記振動検出部は、前記検出信号として、前記タイヤの径方向と周方向および幅方向のいずれかの振動に応じた信号を出力する請求項１に記載のタイヤ摩耗検知装置。
【請求項３】
前記信号処理部は、前記踏み込み時における前記振動レベルのピークのタイミングを特定するピーク特定部（１３ｆ）を有し、
前記レベル取得部は、前記ピーク特定部にて特定されたピークのタイミングでの前記振動レベルの値を前記ピークレベル値として取得する請求項１または２に記載のタイヤ摩耗検知装置。
【請求項４】
前記ピーク特定部は、前記装置配置箇所が路面から離れる蹴り出し時に前記振動レベルが極小値となったタイミングを基準として、該基準から所定時間遡った期間（Ｔａ）中において前記振動レベルが最大値となるタイミングを前記振動レベルのピークのタイミングとする請求項３に記載のタイヤ摩耗検知装置。
【請求項５】
前記制御部は、前記車両の走行状態にかかわる車両情報を取得する車両情報取得部（２１ｂｂ）を有し、
前記摩耗判定部は、前記車両情報取得部が取得した前記車両情報と前記摩耗データとに基づいて、前記タイヤ摩耗状態を判定する請求項１ないし４のいずれか１つに記載のタイヤ摩耗検知装置。
【請求項６】
前記車両情報には、車速情報、加減速度情報、操舵情報、路面情報、タイヤ空気圧情報、荷重情報、天気情報、位置情報、温度情報の少なくとも１つが含まれ、前記車両情報に基づいて前記摩耗データから有効なデータを選定し、選定された有効な前記摩耗データに基づいて前記タイヤ摩耗状態を判定する請求項５に記載のタイヤ摩耗検知装置。
【請求項７】
前記摩耗判定部は、前記踏み込み時の前記ピークレベル値と前記蹴り出し後領域の前記レベル値の少なくとも一方を閾値と比較することで前記タイヤ摩耗状態を判定する請求項１ないし６のいずれか１つに記載のタイヤ摩耗検知装置。
【請求項８】
前記制御部は、摩耗前の前記タイヤにおける前記レベル値に相当する値を初期値として設定する初期値設定部（２１ｂｃ）を有し、
前記摩耗判定部は、前記摩耗データが示す前記レベル値を前記初期値に基づいて規格化し、該規格化したレベル値に基づいて、前記タイヤ摩耗状態を判定する請求項１ないし７のいずれか１つに記載のタイヤ摩耗検知装置。 
【請求項９】
前記信号処理部は、前記ウェット路面と該ウェット路面以外とで摩耗状態の判定手法を異ならせていて、前記レベル演算部は、前記ウェット路面以外では特定周波数帯の前記振動レベルのレベル値の積算値を前記摩耗データとして生成する、請求項１ないし８のいずれか１つに記載のタイヤ摩耗検知装置。
【手続補正書】
【提出日】令和3年10月14日(2021.10.14)
【手続補正１】
【補正対象書類名】特許請求の範囲
【補正対象項目名】請求項１
【補正方法】変更
【補正の内容】
【請求項１】
幅方向に所定の幅を有し、前記幅方向に直交する方向を長手方向としたとき、
前記長手方向に延びた基台と、
前記基台の前記長手方向における第一方向の側の端部にあって、牽引車に牽引される牽引ユニットと、
前記基台の前記幅方向及び前記長手方向に直交する方向である上下方向の下側にあって、前記幅方向の中心線に対して互いに等間隔に取り付けられたタイヤ部と、
前記基台の前記上下方向の上側に形成された位置決め部と、
前記基台に積載物が積載されたとき、前記積載物が前記上下方向へ移動することを規制する規制機構部とを備え、
前記位置決め部は、前記規制機構部を支持する支持部材を備え、
前記幅方向と前記長手方向とで形成される面方向を平面方向とし、
前記位置決め部は、前記基台の前記幅方向の中心線上の所定の位置である中心点に対して、対称の位置である少なくとも２箇所に備えられ、
前記規制機構部は、規制部材と、前記規制部材に形成され前記基台における前記上下方向の上側に前記積載物が積載されたときに、前記積載物に係合可能な係合部を備え、
前記係合部は、前記積載物に係合したときに、前記積載物が前記基台に対して相対的な前記上下方向への移動を規制することを特徴とする積載トレーラー。
【手続補正２】
【補正対象書類名】特許請求の範囲
【補正対象項目名】請求項１９
【補正方法】変更
【補正の内容】
【請求項１９】
前記支持部材は、前記上下方向の上側に延びた壁部を備え、
前記規制機構部は、前記位置決め部において、前記壁部に形成された第二開口部を備え、
前記積載物が、前記基台に積載された状態で前記第二開口部に対応した開口穴を有するとき、
前記規制部材を前記第二開口部と前記開口穴とに挿入すると、前記係合部が前記開口穴と係合することを特徴とする請求項１又は２に記載の積載トレーラー。
【手続補正３】
【補正対象書類名】特許請求の範囲
【補正対象項目名】請求項２１
【補正方法】変更
【補正の内容】
【請求項２１】
前記支持部材は、前記上下方向の上側に延びた第一壁部と第二壁部を備え、
前記第一壁部は、前記長手方向に沿って延びた状態であり、
前記第二壁部は、前記幅方向に沿って延びた状態であり、
前記支持部材は、前記基台に形成されたことを特徴とする請求項１から１８及び２０のいずれかに記載の積載トレーラー。
【手続補正４】
【補正対象書類名】特許請求の範囲
【補正対象項目名】請求項２５
【補正方法】変更
【補正の内容】
【請求項２５】
請求項１から２４のいずれかに記載の積載トレーラーと、
前記積載トレーラーに積載可能な補助装置付き積載物とを備え、
前記補助装置付き積載物は、外側に前記長手方向、又は前記幅方向に沿ってジャッキ挿入装置を備え、
前記ジャッキ挿入装置は、ジャッキを挿入するジャッキ挿入開口部を備え、
前記ジャッキ挿入開口部は、前記平面方向に沿う方向に開口され、
前記ジャッキ挿入装置は、前記補助装置付き積載物が前記基台に積載されるとき、前記位置決め部に案内される前記補助装置付き積載物の角部に隣接して前記ジャッキ挿入開口部が位置するように取り付けられ、
前記ジャッキ挿入開口部に挿入された前記ジャッキが前記上下方向に昇降したときに、前記補助装置付き積載物は前記基台に対して前記上下方向に昇降することを特徴とする積載トレーラーユニット。
【手続補正５】
【補正対象書類名】明細書
【補正対象項目名】０００６
【補正方法】変更
【補正の内容】
【０００６】
本発明の態様に係る積載トレーラーは、幅方向に所定の幅を有し、前記幅方向に直交する方向を長手方向としたとき、前記長手方向に延びた基台と、前記基台の前記長手方向における第一方向の側の端部にあって、牽引車に牽引される牽引ユニットと、前記基台の前記幅方向及び前記長手方向に直交する方向である上下方向の下側にあって、前記幅方向の中心線に対して互いに等間隔に取り付けられたタイヤ部と、前記基台の前記上下方向の上側に形成された位置決め部と、前記基台に積載物が積載されたとき、前記積載物が前記上下方向へ移動することを規制する規制機構部とを備え、前記位置決め部は、前記規制機構部を支持する支持部材を備え、前記幅方向と前記長手方向とで形成される面方向を平面方向とし、前記位置決め部は、前記基台の前記幅方向の中心線上の所定の位置である中心点に対して、対称の位置である少なくとも２箇所に備えられ、前記規制機構部は、規制部材と、前記規制部材に形成され前記基台における前記上下方向の上側に前記積載物が積載されたときに、前記積載物に係合可能な係合部を備え、前記係合部は、前記積載物に係合したときに、前記積載物が前記基台に対して相対的な前記上下方向への移動を規制することを特徴とする。
【手続補正６】
【補正対象書類名】明細書
【補正対象項目名】００３９
【補正方法】変更
【補正の内容】
【００３９】
また、前記積載トレーラーの前記支持部材は、前記上下方向の上側に延びた第一壁部と第二壁部を備え、前記第一壁部は、前記長手方向に沿って延びた状態であり、前記第二壁部は、前記幅方向に沿って延びた状態であり、前記支持部材は、前記基台に形成されてもよい。この場合、支持部材は第一壁部と第二壁部を備えて積載物の角部を案内するので、ユーザーは積載物を基台に容易に積載できる。
【手続補正７】
【補正対象書類名】明細書
【補正対象項目名】００４６
【補正方法】変更
【補正の内容】
【００４６】
本発明の態様に係る積載トレーラーユニットは、積載トレーラーと、前記積載トレーラーに積載可能な補助装置付き積載物とを備え、前記補助装置付き積載物は、外側に前記長手方向、又は前記幅方向に沿ってジャッキ挿入装置を備え、前記ジャッキ挿入装置は、ジャッキを挿入するジャッキ挿入開口部を備え、前記ジャッキ挿入開口部は、前記平面方向に沿う方向に開口され、前記ジャッキ挿入装置は、前記補助装置付き積載物が前記基台に積載されるとき、前記位置決め部に案内される前記補助装置付き積載物の角部に隣接して前記ジャッキ挿入開口部が位置するように取り付けられ、前記ジャッキ挿入開口部に挿入された前記ジャッキが前記上下方向に昇降したときに、前記補助装置付き積載物は前記基台に対して前記上下方向に昇降することを特徴とする。
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
一対のビード部間でトロイダル状に跨る、ラジアル配列コードのプライからなるカーカスを備えた、乗用車用空気入りラジアルタイヤであって、
前記タイヤの断面幅ＳＷが１６５（ｍｍ）未満であり、前記タイヤの断面幅ＳＷと外径ＯＤとの比ＳＷ／ＯＤは、０．２６以下であり、
前記タイヤの内面に、１つ以上の制音体を設け、
前記タイヤをリムに組み込み、規定内圧を充填し、無負荷状態とした際の、タイヤ幅方向断面において、タイヤ赤道面から接地端までのタイヤ幅方向領域でのタイヤ幅方向の中点を、１／４点とするとき、
前記制音体は、タイヤ赤道面を境界とするタイヤ幅方向一方の半部における前記１／４点よりもタイヤ幅方向外側の領域での前記タイヤの内面には、設けられておらず、
前記制音体の一端は、前記タイヤ幅方向一方の半部において、前記１／４点又は該１／４点よりタイヤ幅方向内側に位置し、
前記制音体の他端は、タイヤ幅方向他方の半部において、ビード部における前記タイヤの内面に位置することを特徴とする、乗用車用空気入りラジアルタイヤ。
【請求項２】
一対のビード部間でトロイダル状に跨る、ラジアル配列コードのプライからなるカーカスを備えた、乗用車用空気入りラジアルタイヤであって、
前記タイヤの断面幅ＳＷが１６５（ｍｍ）以上であり、前記タイヤの断面幅ＳＷ（ｍｍ）及び外径ＯＤ（ｍｍ）は、関係式、
ＯＤ（ｍｍ）≧２．１３５×ＳＷ（ｍｍ）＋２８２．３
を満たし、
前記タイヤの内面に、１つ以上の制音体を設け、
前記タイヤをリムに組み込み、規定内圧を充填し、無負荷状態とした際の、タイヤ幅方向断面において、タイヤ赤道面から接地端までのタイヤ幅方向領域でのタイヤ幅方向の中点を、１／４点とするとき、
前記制音体は、タイヤ赤道面を境界とするタイヤ幅方向一方の半部における前記１／４点よりもタイヤ幅方向外側の領域での前記タイヤの内面には、設けられておらず、
前記制音体の一端は、前記タイヤ幅方向一方の半部において、前記１／４点又は該１／４点よりタイヤ幅方向内側に位置し、
前記制音体の他端は、タイヤ幅方向他方の半部において、ビード部における前記タイヤの内面に位置することを特徴とする、乗用車用空気入りラジアルタイヤ。
【請求項３】
一対のビード部間でトロイダル状に跨る、ラジアル配列コードのプライからなるカーカスを備えた、乗用車用空気入りラジアルタイヤであって、
前記タイヤの断面幅ＳＷ（ｍｍ）及び外径ＯＤ（ｍｍ）は、関係式、
ＯＤ（ｍｍ）≧−０．０１８７×ＳＷ（ｍｍ）２＋９．１５×ＳＷ（ｍｍ）−３８０
を満たし、
前記タイヤの内面に、１つ以上の制音体を設け、
前記タイヤをリムに組み込み、規定内圧を充填し、無負荷状態とした際の、タイヤ幅方向断面において、タイヤ赤道面から接地端までのタイヤ幅方向領域でのタイヤ幅方向の中点を、１／４点とするとき、
前記制音体は、タイヤ赤道面を境界とするタイヤ幅方向一方の半部における前記１／４点よりもタイヤ幅方向外側の領域での前記タイヤの内面には、設けられておらず、
前記制音体の一端は、前記タイヤ幅方向一方の半部において、前記１／４点又は該１／４点よりタイヤ幅方向内側に位置し、
前記制音体の他端は、タイヤ幅方向他方の半部において、ビード部における前記タイヤの内面に位置することを特徴とする、乗用車用空気入りラジアルタイヤ。
【請求項４】
前記制音体は、スポンジ材である、請求項１〜３のいずれか一項に記載の乗用車用空気入りラジアルタイヤ。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
試料を計測する計測部と、前記計測部が計測した試料を分析する分析部と、前記計測部の動作及び前記分析部の動作を制御する動作制御部とを有する分析装置のシミュレーション方法において、
シミュレーション制御部が、
操作者が実施する正しい複数の操作を有する操作手順及び前記操作者が実際に実施した複数の操作を有する操作手順を記録部に記録し、
前記分析装置の構成を表示する第１表示領域、前記分析装置の操作手順の名称を表示する第２表示領域、前記試料の分析に必要な動作及び道具を少なくとも表示する第３表示領域、分析又はメンテナンスに必要な動作及び道具を表示する第４表示領域、並びに前記操作者が設定した操作手順を表示する第５表示領域を少なくとも表示部に表示させ、
前記操作者が設定した操作を前記表示部に表示させ、前記操作者が設定した操作手順と前記記録部に記録された前記正しい複数の操作を有する操作手順を前記表示部に表示させることを特徴とする分析装置のシミュレーション方法。
【請求項２】
請求項１に記載の分析装置のシミュレーション方法において、
前記シミュレーション制御部は、前記操作者が設定した複数の操作を有する操作手順と前記記録部に記録された前記正しい複数の操作を有する操作手順を互いに比較し、前記操作者が設定した複数の操作を有する操作手順が正しいか否かを判断して、判断結果を前記表示部に表示させることを特徴とする分析装置のシミュレーション方法。
【請求項３】
請求項２に記載の分析装置のシミュレーション方法において、
前記分析又はメンテナンスに必要な動作及び道具はカテゴリー別に前記第４表示領域に表示されることを特徴とする分析装置のシミュレーション方法。
【請求項４】
請求項３に記載の分析装置のシミュレーション方法において、
前記第４表示領域に表示された前記分析又はメンテナンスに必要な前記動作及び前記道具は、前記操作者によるドラッグアンドドロップにより、前記第３表示領域にプールすることができることを特徴とする分析装置のシミュレーション方法。
【請求項５】
請求項３又は４に記載の分析装置のシミュレーション方法において、
前記正しい複数の操作を有する操作手順には、順不同な操作手順が含まれ、前記操作者が設定した複数の操作を有する操作手順に前記順不同な操作手順が含まれる場合は、前記順不同な操作手順が、互に逆に設定されていても、操作手順は正しいと前記シミュレーション制御部は判断することを特徴とする分析装置のシミュレーション方法。
【請求項６】
試料を計測する計測部と、前記計測部が計測した試料を分析する分析部と、前記計測部の動作及び前記分析部の動作を制御する動作制御部とを有する分析装置のシミュレーション装置において、
操作者が実施する正しい複数の操作を有する操作手順及び前記操作者が実際に実施した複数の操作を有する操作手順を記録する記録部と、
前記分析装置の構成を表示する第１表示領域、前記分析装置の操作手順の名称を表示する第２表示領域、前記試料の分析に必要な動作及び道具を少なくとも表示する第３表示領域、分析又はメンテナンスに必要な動作及び道具を表示する第４表示領域、並びに前記操作者が設定した操作手順を表示する第５表示領域を少なくとも表示する表示部と、
前記操作者が設定した操作を前記表示部に表示させて、前記操作者が設定した操作手順と前記記録部に記録された前記正しい複数の操作を有する操作手順を前記表示部に表示させるシミュレーション制御部と、
を備えることを特徴とする分析装置のシミュレーション装置。
【請求項７】
請求項６に記載の分析装置のシミュレーション装置において、
前記シミュレーション制御部は、前記操作者が設定した複数の操作を有する操作手順と前記記録部に記録された前記正しい複数の操作を有する操作手順を互いに比較し、前記操作者が設定した複数の操作を有する操作手順が正しいか否かを判断して、判断結果を前記表示部に表示させることを特徴とする分析装置のシミュレーション装置。
【請求項８】
請求項７に記載の分析装置のシミュレーション装置において、
前記分析又はメンテナンスに必要な動作及び道具はカテゴリー別に前記第４表示領域に表示されることを特徴とする分析装置のシミュレーション装置。
【請求項９】
請求項８に記載の分析装置のシミュレーション装置において、
前記第４表示領域に表示された前記分析又はメンテナンスに必要な前記動作及び前記道具は、前記操作者によるドラッグアンドドロップにより、前記第３表示領域にプールすることができることを特徴とする分析装置のシミュレーション装置。
【請求項１０】
請求項８又は９に記載の分析装置のシミュレーション装置において、
前記正しい複数の操作を有する操作手順には、順不同な操作手順が含まれ、前記操作者が設定した複数の操作を有する操作手順に前記順不同な操作手順が含まれる場合は、前記順不同な操作手順が、互に逆に設定されていても、操作手順は正しいと前記シミュレーション制御部は判断することを特徴とする分析装置のシミュレーション装置。